(57)【特許請求の範囲】
【請求項１】
背面が開口する箱形のケース内に端子台を設けると共に端子台に結線部を露出して設けることによって形成される非接触ＩＤリーダを壁面に取り付けるにあたって、端子台の上方においてケース内にケースの上側開口縁部から垂下して板状片に形成される水滴誘導片を設け、水滴誘導片に滴下片を突設して板状片に形成すると共に滴下片を端子台の上方から外れる位置に形成し、背面視において水滴誘導片の下端縁を滴下片に近づくほど下側に位置するように傾斜させて形成し、水滴誘導片及び滴下片の背面全面を壁面に当接させるようにしてケースを壁面に取り付け、滴下片のほぼ真下においてケースの底面に壁面側に向かって下り傾斜する傾斜面を設けて成ることを特徴とする非接触ＩＤリーダの取り付け構造。
【請求項２】
背面が開口する箱形のケース内に端子台を設けると共に端子台に結線部を露出して設けることによって形成される非接触ＩＤリーダを壁面に取り付けるにあたって、端子台の上方においてケース内にケースの上側開口縁部から垂下して板状片に形成される水滴誘導片を設け、水滴誘導片に滴下片を突設して板状片に形成し、背面視において水滴誘導片の下端縁を滴下片に近づくほど下側に位置するように傾斜させて形成し、壁面に設けた取付具にケースを係止することによってケースを壁面に取り付けると共に水滴誘導片及び滴下片の背面全面を壁面に当接させ、滴下片と端子台の間において取付具に受け片を形成し、受け片の端部を滴下部として端子台の上方から外れた位置に形成すると共に受け片を滴下部に向かって下り傾斜させて形成し、滴下部のほぼ真下においてケースの底面に壁面側に向かって下り傾斜する傾斜面を設けて成ることを特徴とする非接触ＩＤリーダの取り付け構造。
【発明の詳細な説明】
【０００１】
【発明の属する技術分野】
本発明は、建物等の壁面への非接触ＩＤリーダの取り付け構造に関するものである。
【０００２】
【従来の技術】
入退室管理に使用される非接触ＩＤシステムは、内部にデータを記憶するメモリを有しているＩＤタグと、このＩＤタグに非接触でデータを書き込んだり読み込んだりするための非接触ＩＤリーダとを備えて形成されている。ＩＤタグ（一般的にカードタグ）は入退室する個人が所有し、非接触ＩＤリーダは通常ビル等の建物の玄関や通用口等の人の出入りする部分の外側及び内側において壁面に取り付けられて設置されている。そして、一般的には建物に出入りをする個人がＩＤタグを非接触ＩＤリーダにかざすことによって、ＩＤタグと非接触ＩＤリーダとの間で非接触でデータ通信を行ってＩＤタグのデータを非接触ＩＤリーダで読み取り、この後、非接触ＩＤリーダあるいはこれと接続されるホストコンピュータが読み取ったデータを処理して扉が開く、といった入退出管理に使用されている。
【０００３】
【発明が解決しようとする課題】
非接触ＩＤリーダの設置場所としては、一般的には建物の屋内であり、また、建物の屋外であっても雨等の水滴がかからないように対策がなされることが多い。しかしながら諸々の条件により水滴がかかる場所に単独で非接触ＩＤリーダが施工される場合もありえるが、その場合の防水対策が十分でなかった。すなわち、非接触ＩＤリーダを壁面に設置した場合に非接触ＩＤリーダの上側において壁面に付着した水滴が流下して非接触ＩＤリーダの背面から内部に侵入することがあり、これにより、非接触ＩＤリーダの内部に設けられていた結線部の露出した端子台に水滴が付着して誤作動や破損が生じる恐れがあった。
【０００４】
本発明は上記の点に鑑みてなされたものであり、水滴がかかる可能性のある場所に単独で設置される場合においても、非接触ＩＤリーダの内部に設けられている結線部に水滴が付着することを避けることができる非接触ＩＤリーダの取り付け構造を提供することを目的とするものである。
【０００５】
【課題を解決するための手段】
本発明の請求項１に係る非接触ＩＤリーダの取り付け構造は、背面が開口する箱形のケース２内に端子台４を設けると共に端子台４に結線部５を露出して設けることによって形成される非接触ＩＤリーダ１を壁面６に取り付けるにあたって、端子台４の上方においてケース２内にケース２の上側開口縁部から垂下して板状片に形成される水滴誘導片７を設け、水滴誘導片７に滴下片３を突設して板状片に形成すると共に滴下片３を端子台４の上方から外れる位置に形成し、背面視において水滴誘導片７の下端縁を滴下片３に近づくほど下側に位置するように傾斜させて形成し、水滴誘導片７及び滴下片３の背面全面を壁面６に当接させるようにしてケース２を壁面６に取り付け、滴下片３のほぼ真下においてケース２の底面に壁面６側に向かって下り傾斜する傾斜面８を設けて成ることを特徴とするものである。
【０００６】
また、本発明の請求項２に係る非接触ＩＤリーダの取り付け構造は、背面が開口する箱形のケース２内に端子台４を設けると共に端子台４に結線部５を露出して設けることによって形成される非接触ＩＤリーダ１を壁面６に取り付けるにあたって、端子台４の上方においてケース２内にケース２の上側開口縁部から垂下して板状片に形成される水滴誘導片７を設け、水滴誘導片７に滴下片３を突設して板状片に形成し、背面視において水滴誘導片７の下端縁を滴下片３に近づくほど下側に位置するように傾斜させて形成し、壁面６に設けた取付具９にケース２を係止することによってケース２を壁面６に取り付けると共に水滴誘導片７及び滴下片３の背面全面を壁面６に当接させ、滴下片３と端子台４の間において取付具９に受け片１０を形成し、受け片１０の端部を滴下部１９として端子台４の上方から外れた位置に形成すると共に受け片１０を滴下部１９に向かって下り傾斜させて形成し、滴下部１９のほぼ真下においてケース２の底面に壁面６側に向かって下り傾斜する傾斜面８を設けて成ることを特徴とするものである。
【０００７】
【発明の実施の形態】
以下、本発明の実施の形態を説明する。
【０００８】
非接触ＩＤリーダ１は、内部にデータを記憶するメモリを有するＩＤタグに識別番号データ（ＩＤ）を含むデータを書き込み及び読み出す機能を有するものであって、例えば、電磁誘導により相互にデータ通信を行うようにした非接触ＩＤリーダ１とＩＤタグなどがある。
【０００９】
非接触ＩＤリーダ１はＩＤタグとのデータ通信を行うためのアンテナ部及び回路部をケース２に内蔵して形成されている。図２（ａ）乃至（ｃ）及び図３（ａ）乃至（ｃ）に示すように、ケース２はＡＢＳやポリカーボネートなどの合成樹脂製であって、正面板１１の上端に背方に突出する上片１２を設けると共に正面板１１の下端に背方に突出する下片１３を設け、さらに正面板１１の両側端に背方に突出する側片１４、１４を設けることによって、ケース２は背面が略全面に亘って開口する箱形に形成されている。
【００１０】
ケース２内の上部には水滴誘導片７が設けられている。水滴誘導片７はケース２の上側開口縁部（上片１２の先端）から垂下させた板状片に形成されるものである。この水滴誘導片７の両端部には滴下片３が設けられている。滴下片３は水滴誘導片７の端部から斜め下方に向かって突設されるものであり、水滴誘導片７と同様の板状片に形成されている。そして、水滴誘導片７の下端縁は背面視において滴下片３に近づくほど下側に位置するように傾斜させて形成されている。図３（ａ）に示すケース２では背面視で水滴誘導片７の下端縁が略円弧状（Ｒ形状）に形成されており、これにより、水滴誘導片７の下端縁は幅方向（水平方向）の中央部から両方の滴下片３に向かって下り傾斜するように形成されている。
【００１１】
水滴誘導片７と正面板１１の間においてケース２内の上部には一対の突出片４０が設けられている。突出片４０はケース２の上片１２から垂下させた板状片に形成されるものであって、ケース２の左右に一つずつ設けられている。また、水滴誘導片７と突出片４０の間には間隙１５が形成されている。
【００１２】
ケース２の下部には挿入凹部１６が設けられている。挿入凹部１６は背面が開口する溝形状に形成されるものであって、ケース２の底面である下片１３の上面の幅方向（水平方向）の略中央部に設けられている。また、下片１３には挿入凹部１６にまで達する貫通孔１７が設けられている。また、図３（ｃ）に示すように、ケース２の底面である下片１３の上面には傾斜面８が設けられている。傾斜面８は滴下片３のほぼ真下に一つずつ設けられるものであって、ケース２の背面側に向かって下り傾斜するように形成されている。
【００１３】
ケース２に内蔵されているアンテナ部及び回路部は水滴誘導片７の下側に配置されており、図４に示すようにケース２内に充填したウレタン等の樹脂４１より封止されている。また、ケース２内に充填した樹脂４１の背面側には端子台（充電部）４が設けられている。端子台４は平面視で略長方形に形成されるものであって、斜めに傾けて樹脂４１に取り付けられている。また、端子台４の背面には複数個の結線部５が露出させて設けられている。この結線部５は後述の壁内の配線１８と結線するための端子であって、ケース２に内蔵されているアンテナ部と回路部に電気的に接続されている。このようにして外観部分が合成樹脂製のケース２で覆われ、且つ壁面６側に向く背面側に樹脂４１が充填された非接触ＩＤリーダ１を形成することができる。この非接触ＩＤリーダ１において、一対の滴下片３の間の寸法は端子台４の幅寸法よりも大きく形成されている。従って、背面視において滴下片３は端子台４の上方から外れる位置に形成されているものであり、滴下片３の下方に端子台４が位置しないように形成されている。
【００１４】
図５（ａ）乃至（ｃ）に示すように、取付具９はステンレス鋼などの金属で形成されるものであって、上下一対の横片２０と左右一対の縦片２１により正面視で略四角枠状に形成されており、その中央部の開口は配線導出口２３として形成されている。また、上側の横片２０の両端には正面側斜め上方に向かって突出する係止片２４が設けられている。この係止片２４はケース２の間隙１５に差し込んで係止するためにフック形状に形成されている。また、下側の横片２０の略中央部には正面側に向かって突出する挿入片２５が設けられている。挿入片２５は上下方向に貫通するケース固定ネジ孔２６が形成されている。また、上下の横片２０には横長孔状の複数の取付具固定ネジ孔２７が設けられている。さらに、取付具９には一対の受け片１０が設けられている。受け片１０は配線導出口２３の開口縁部の上側角部において取付具９の正面側に向かって突設されるものであり、且つ受け片１０の上面は取付具９の水平方向の中央部から側方に向かって下り傾斜するように形成されている。
【００１５】
そして、上記のように形成される非接触ＩＤリーダ１を建物の壁面６に取り付けるにあたっては次のようにして行う。まず、壁面６に配線収納孔３０を開口させる。配線収納孔３０は非接触ＩＤリーダ１を取り付ける壁内に形成されるものであって、配線収納孔３０にはホストコンピュータや電源等に接続されている配線１８が収納されている。次に、配線収納孔３０の開口の周縁部に取付具９を取り付ける。取付具９の取付は取付具固定ネジ３１を取付具固定ネジ孔２７に差し込んで壁に螺入するようにして行うことができるが、この時、壁面６には取付具固定ネジ３１を螺入するためのネジ穴を形成しておくのがよい。このように取付具９を壁面６に取り付けることによって、取付具９の係止片２４が壁面６から斜め上方に突出した状態となると共に取付具９の挿入片２５が壁面６からほぼ水平に突出した状態となる。
【００１６】
次に、配線収納孔３０の開口と取付具９の配線導出口２３を通すようにして配線収納孔３０内の配線１８の端部を壁面６の前側に引き出すと共に引き出した配線１８の端部を非接触ＩＤリーダ１の結線部５に接続する。これにより、非接触ＩＤリーダ１に内蔵されたアンテナ部や回路部とホストコンピュータや電源等とが結線部５及び配線１８を介して電気的に接続されることになる。
【００１７】
この後、図６（ａ）に示すように、ケース２の背面側上部を取付具９の上部に上側から近づけ、取付具９の係止片２４をケース２の間隙１５に差し込む。次に、図６（ｂ）に示すように、ケース２の背面側上部を中心としてケース２の下部を壁面６に近づけるように回動させると共にこの回動により取付具９の挿入片２５をケース２の挿入凹部１６に差し込む。また、この時、端子台４は取付具９の配線導出口２３を通して配線収納孔３０内に挿入されることになる。次に、図６（ｃ）に示すように、ケース２の貫通孔１７と取付具９のケース固定ネジ孔２６とを位置合わせした後、貫通孔１７に下側からケース固定ネジ４２を差し込んでケース固定ネジ孔２６と螺合する。このようにして図７に示すように非接触ＩＤリーダ１を取付具９に係止した状態で壁面６に取り付けることができ、これにより、ケース２に設けた水滴誘導片７及び滴下片３の背面全面を壁面６に当接（密着）させるようにする。
【００１８】
上記のような非接触ＩＤリーダ１の取り付け構造では、建物の屋外などの水滴がかかる可能性のある場所に単独で設置される場合においても、結線部５に水滴が付着することを避けることができるものである。すなわち、非接触ＩＤリーダ１よりも上側において、壁面６に付着した水滴は壁面６に沿って流れ落ちて非接触ＩＤリーダ１にまで達し、ケース２の背面側上端部と壁面６の隙間に侵入するが、この侵入した水滴は水滴誘導片７と壁面６の隙間に侵入し、毛細管現象により水滴誘導片７の背面形状に沿って広がる。つまり、水滴誘導片７と壁面６の隙間に侵入した水滴は水滴誘導片７の下端に達しても水滴誘導片７の下端縁の傾斜（円弧形状）に沿って流れることになり、この結果、水滴は滴下片３にまで誘導されて溜まることになる。そして、ある程度の水滴が滴下片３に溜まると、自重により水滴が滴下片３の先端から落下するが、滴下片３は端子台４の上方から外れた位置にあるので、滴下片３から落下した水滴は端子台４の側方を通過することになる。従って、水滴が端子台４に付着するのを防止することができ、結線部５に水滴が付着するのを防止することができるものであり、結線部５への水滴付着による誤作動や腐食等を防止することができるものである。
【００１９】
また、滴下片３から落下した水滴はケース２の底面の傾斜面８に達するが、傾斜面８は壁面６側に向かって下り傾斜するように形成されているので、傾斜面８に達した水滴は壁面６側に向かって流れて易くなって、効率よくケース２の背面側下端部と壁面６の隙間からケース２外へと排出されることになり、従って、ケース２内に水滴が溜まらないようにすることができるものである。
【００２０】
このように本発明の非接触ＩＤリーダ１の取り付け構造では図１に矢印で示すように水滴が流れ、結線部５への水滴の付着が防止できると共にケース２内に水滴が溜まるのを防止することができて防水性能が高いものであり、この結果、施工場所（設置場所）の制約が少なくなって施工条件が良くなるものである。
【００２１】
図９に他の実施の形態を示す。この非接触ＩＤリーダ１では図８（ａ）（ｂ）に示すように、ケース２に設けた水滴誘導片７の傾斜部分（略円弧状部分）が上記の実施の形態のものよりも幅方向に狭く形成されている。従って、水滴誘導片７の端部に設けた滴下片３は端子台４の上方に位置するように形成されている。また、ケース２の底面に形成される傾斜面８は滴下片３の真下には位置せずに、滴下片３の真下よりも側片１４側にずれた位置に形成されている。また、この実施の形態で用いる取付具９は上記実施の形態のものと同様であるが、側方に向かって下り傾斜するように設けられた受け片１０の下端は滴下部１９として形成されている。ケース２及び取付具９のその他の構成は上記実施の形態と同様である。
【００２２】
そして、この実施の形態においても非接触ＩＤリーダ１は上記と同様にして取付具９に係止することにより壁面６に取り付けられるが、この時、滴下片３と端子台４の間において滴下片３のほぼ真下に取付具９の受け片１０が位置することになる。また、背面視において受け片１０の滴下部１９は端子台４の上方から外れる位置に配置されるものであり、滴下部１９の下方に端子台４が位置しないようになっている。さらに、滴下部１９のほぼ真下においてケース２の傾斜面８が位置するようになっている。
【００２３】
このような非接触ＩＤリーダ１の取り付け構造においても、建物の屋外などの水滴がかかる可能性のある場所に単独で設置される場合に、結線部５に水滴が付着することを避けることができるものである（図９に水滴の流れを矢印で示す）。すなわち、非接触ＩＤリーダ１よりも上側において、壁面６に付着した水滴は壁面６に沿って流れ落ちて非接触ＩＤリーダ１にまで達し、ケース２の背面側上端部と壁面６の隙間に侵入するが、この侵入した水滴は水滴誘導片７と壁面６の隙間に侵入し、毛細管現象により水滴誘導片７の背面形状に沿って広がる。つまり、水滴誘導片７と壁面６の隙間に侵入した水滴は水滴誘導片７の下端に達しても水滴誘導片７の下端縁の傾斜（円弧形状）に沿って流れることになり、この結果、水滴は滴下片３にまで誘導されて溜まることになる。そして、ある程度の水滴が滴下片３に溜まると、自重により水滴が滴下片３の先端から落下するが、滴下片３は取付具９の受け片１０の上方に位置するので、滴下片３から落下した水滴は受け片１０に落下する。この後、受け片１０に落下した水滴は受け片１０の傾斜に沿って流れて滴下部１９にまで達してここから落下するが、滴下部１９は端子台４の上方から外れた位置にあるので、滴下部１９から落下した水滴は端子台４の側方を通過することになる。従って、水滴が端子台４に付着するのを防止することができ、結線部５に水滴が付着するのを防止することができるものであり、結線部５への水滴付着による誤作動や腐食等を防止することができるものである。
【００２４】
また、滴下部１９から落下した水滴はケース２の底面の傾斜面８に達するが、傾斜面８は壁面６側に向かって下り傾斜するように形成されているので、傾斜面８に達した水滴は壁面６側に向かって流れて易くなって、効率よくケース２の背面側下端部と壁面６の隙間からケース２外へと排出されることになり、従って、ケース２内に水滴が溜まらないようにすることができるものである。
【００２５】
尚、上記いずれの実施の形態においても、取付具９を壁面６に直接取り付けるものを示したが、これに限らず、１個用又は２個用のスイッチボックス等を壁に取り付け、これを介して取付具９を壁面６に取り付けるようにしても良い。
【００２６】
【発明の効果】
上記のように本発明の請求項１の発明は、背面が開口する箱形のケース内に端子台を設けると共に端子台に結線部を露出して設けることによって形成される非接触ＩＤリーダを壁面に取り付けるにあたって、端子台の上方においてケース内にケースの上側開口縁部から垂下して板状片に形成される水滴誘導片を設け、水滴誘導片に滴下片を突設して板状片に形成すると共に滴下片を端子台の上方から外れる位置に形成し、背面視において水滴誘導片の下端縁を滴下片に近づくほど下側に位置するように傾斜させて形成し、水滴誘導片及び滴下片の背面全面を壁面に当接させるようにしてケースを壁面に取り付け、滴下片のほぼ真下においてケースの底面に壁面側に向かって下り傾斜する傾斜面を設けるので、ケースと壁面との隙間に侵入した水滴は水滴誘導片により滴下片にまで誘導された後、端子台の側方を通過するように滴下片から落下させることができ、水滴がかかる可能性のある場所に単独で設置される場合においても、端子台に露出させて設けた結線部に水滴が付着することを避けることができるものである。しかも、滴下片から落下した水滴は傾斜面に達するので、壁面側に向かって効率よくケース外に排出することができ、ケース内に水滴が溜まらないようにすることができるものである。
【００２７】
また本発明の請求項２の発明は、背面が開口する箱形のケース内に端子台を設けると共に端子台に結線部を露出して設けることによって形成される非接触ＩＤリーダを壁面に取り付けるにあたって、端子台の上方においてケース内にケースの上側開口縁部から垂下して板状片に形成される水滴誘導片を設け、水滴誘導片に滴下片を突設して板状片に形成し、背面視において水滴誘導片の下端縁を滴下片に近づくほど下側に位置するように傾斜させて形成し、壁面に設けた取付具にケースを係止することによってケースを壁面に取り付けると共に水滴誘導片及び滴下片の背面全面を壁面に当接させ、滴下片と端子台の間において取付具に受け片を形成し、受け片の端部を滴下部として端子台の上方から外れた位置に形成すると共に受け片を滴下部に向かって下り傾斜させて形成し、滴下部のほぼ真下においてケースの底面に壁面側に向かって下り傾斜する傾斜面を設けるので、ケースと壁面との隙間に侵入した水滴は水滴誘導片により滴下片にまで誘導された後、受け片に達し、この後、端子台の側方を通過するように受け片の滴下部から落下させることができ、水滴がかかる可能性のある場所に単独で設置される場合においても、端子台に露出させて設けた結線部に水滴が付着することを避けることができるものである。しかも、滴下片から落下した水滴は傾斜面に達するので、壁面側に向かって効率よくケース外に排出することができ、ケース内に水滴が溜まらないようにすることができるものである。
【図面の簡単な説明】
【図１】本発明の実施の形態の一例を示す背面図である。
【図２】同上のケースを示し、（ａ）は正面図、（ｂ）は底面図、（ｃ）は側面図である。
【図３】同上のケースを示し、（ａ）は背面図、（ｂ）はＢ−Ｂ断面図、（ｃ）はＡ−Ａ断面図である。
【図４】同上の非接触ＩＤリーダを示す断面図である。
【図５】同上の取付具を示し、（ａ）は背面図、（ｂ）は底面図、（ｃ）は側面図である。
【図６】同上の非接触ＩＤリーダの取り付け工程を示し、（ａ）乃至（ｃ）は断面図である。
【図７】同上の非接触ＩＤリーダを取り付けた状態を示す正面図である。
【図８】同上の他のケースを示し、（ａ）は背面図、（ｂ）はＢ−Ｂ断面図である。
【図９】同上の他の実施の形態を示す背面図である。
【符号の説明】
１  非接触ＩＤリーダ
２  ケース
３  滴下片
４  端子台
５  結線部
６  壁面
７  水滴誘導片
８  傾斜面
９  取付具
１０  受け片
１９  滴下部
【図１】
0004411807.tif 000002
【図２】
0004411807.tif 000003
【図３】
0004411807.tif 000004
【図４】
0004411807.tif 000005
【図５】
0004411807.tif 000006
【図６】
0004411807.tif 000007
【図７】
0004411807.tif 000008
【図８】
0004411807.tif 000009
【図９】
0004411807.tif 000010